(57)【要約】【課題】雑草などの刈取りを行う刈払機において、刈取った草などの異物が回転部分に絡みつくのを防止する。【解決手段】刈払機のシャフト先端に固定され、モータや燃料エンジンなどの動力源によって回転駆動される本体から突出した回転軸の先端部にチップソー、丸鋸刃、切り込み刃などの板状回転刃を装着する場合、異物が絡む部位である刃受金具と板状回転刃との間に異物進入を阻止する円筒形状部品を挟むことにより刈取った草などの絡みを防止することができる。ナイロンコードなどの可撓線状刃を外方へ突出させた線状刃回転ユニット・タイプの装置を使用する場合、従来の装置に異物が絡む部位への異物進入を阻止する円筒構造を付加したユニットを使用することで刈取った草などの絡みを防止することができる。この新たな構造はユニットを製造する際に一体成型しても構わないし、後付で付加（例えば接着剤やネジ構造等で一体化）できるようにしても構わない。また、同等の構造であってもかまわない。【選択図】図４
2012029668.tif 000002
【特許請求の範囲】
【請求項１】
刈払機のシャフト先端に固定する本体から突出させ、モータや燃料エンジンなどの動力源によって回転駆動される回転軸の先端部にチップソー、丸鋸刃、切り込み刃などの板状回転刃を装着し、刈り刃の回転によって雑草などの刈取りを行う刈払機において、異物が絡む部位への異物進入を阻止する円筒形状（円筒部分の半径は本体下端部スカートの半径よりも大きい）を持つ部品１を刃受金具と板状回転刃との間に挟むことを特徴とする刈払機における絡み防止構造。
（選択図）図４、図５
【請求項２】
刈払機のシャフト先端に固定する本体から突出させ、モータや燃料エンジンなどの動力源によって回転駆動される回転軸の先端部にナイロンコードなどの可撓線状刃を外方へ突出させた線状刃回転ユニットを装着し、刈り刃の回転によって雑草などの刈取りを行う刈払機において、異物が絡む部位への異物進入を阻止する円筒構造（円筒部分の半径は本体下端部スカートの半径よりも大きい）を付加した線状刃回転ユニットを使用することを特徴とする刈払機における絡み防止構造。
（選択図）図６、図７
【発明の詳細な説明】
【技術分野】
【０００１】刈払機のシャフト先端に固定する本体から突出させた回転軸に板状回転刃や線状刃回転ユニットを装着し、その回転によって雑草の刈取り作業を行う刈払機に関し、刈取った草や異物が回転軸に絡むのを防止する絡み防止構造に係る発明である。
［選択図］図１、図２
【背景技術】
【０００２】雑草の刈取りを行うために、高速回転をする回転刃によって刈取り作業を行う刈払機が実用化されている。この種の刈払機では、刈取った草や作業地にあったごみなどの異物が回転軸に絡みつき、作業に支障を来たす事態が発生する。このような事態に対処するため、絡み防止のための手段が工夫されている。【０００３】特許文献１には、回転軸に回転軸保護部材を取付け、回転軸保護部材の一部に刃部を形成することによって、回転軸部分に侵入しようとする刈取った草などを切断することによって絡みを防止する思想が開示されている。特許文献２には、刃板の回転軸部分に異物が侵入するのを防止するため、フランジ型の絡み防止部材を設ける思想が、特許文献３には、つる草などが回転軸に巻きつかないように、支持杆と刈り刃面の間に三角形の板状の部材を刃面に接近させて配置し、刈り刃の回転によってつるなどが回転軸を周回するのを防止する思想が開示されている。
【先行技術文献】
【特許文献１】特開平１１−１８５４３号公報
【特許文献２】特開平１１−１６８９３９号公報
【特許文献３】特２００１−１０３８２４号公報
【発明の概要】
【発明が解決しようとする課題】
【０００４】特許文献１に開示されるような、切断刃によって絡んだものを切断する発想のものでは、切断刃（刃部）が切れなくなると絡みを防止することができない。また、切断刃よりも内側に侵入した異物や刈取った草が回転軸に絡むのを防止することができないとともに、構造そのものが複雑であって、切断刃が作業者にとって危険である。
特許文献２や３に開示されるように、回転軸に達する異物を排除する構造では、固定されている絡み防止部材と回転する刃板の間の隙間を完全に無くすことができないため、異物が隙間から侵入する可能性があり、必ずしも絡みを効果的に防止することができない欠点があった。【０００５】本発明は、上記従来技術の欠点に鑑み、より簡単な構造で刈取った草が回転軸に絡みつくのを防止することができる構造を実現しようとするものである。
【課題を解決するための手段】
【０００６】上記目的を達成するため、本発明を実施する刈払機は、シャフト先端に固定する本体から突出させ、モーターや燃料エンジンなどの動力源によって回転駆動される回転軸の先端部に板状回転刃や線状刃回転ユニットを装着し、その回転によって雑草などの刈取りを行う。【０００７】刈取られた草などの異物は板状回転刃や線状刃回転ユニットと本体スカート部の間の回転軸に巻き込まれ絡みつく。その理由は、刈取られた草などは一般には回転軸の周辺部から回転軸に対して直角に巻き込まれていくことによる。【０００８】したがって異物と回転軸の間に異物の移動を阻止する構造を配置すれば異物の回転軸への絡みは防止できる。その構造は異物が絡む可能性がある回転軸範囲を充分カバーする円筒形状の構造がシンプルでかつ実用的である。
［選択図］図３【０００９】上記の刈払機において、板状回転刃を使用する場合は回転軸に装着する板状回転刃と本体の刃受金具との間に円筒形状（円筒部分の半径は本体下端部スカートの半径よりも大きい）を持つ部品１を挟むことにより、刈取った草などの異物の回転軸への絡まりを円筒形状部分で防止する。
［選択図］図４、図５【００１０】また刈払機において、線状刃回転ユニットを使用する場合は円筒構造（円筒部分の半径は本体下端部スカートの半径よりも大きい）を付加した線状刃回転ユニットを使用することで、刈取った草などの異物の回転軸への絡まりをその円筒構造で防止する。
［選択図］図６、図７
【発明の効果】
【００１１】請求項１記載の本発明刈払機における絡み防止構造によれば、板状回転刃によって切断された草や異物が回転軸に巻き込まれる場合、そのほとんどは回転軸の周辺部から回転軸に対して直角に巻き込まれていくため、本発明の高速で回転している円筒形状部分に衝突し、異物が回転軸に絡むのを効果的に防止することができる。【００１２】請求項２記載の本発明刈払機における絡み防止構造によれば、線状刃回転ユニットによって切断された草や異物が回転軸に巻き込まれる場合も、そのほとんどは回転軸の周辺部から回転軸に対して直角に巻き込まれていくため、本発明の高速で回転している円筒形状部分に衝突し、異物が回転軸に絡むのを効果的に防止することができる。【００１３】実際に販売されている既存のユニットに、接着剤で一体化した同等の構造を試作してみた。
いろいろな条件下で使用してみているが草などが絡み回転に支障をきたす等のトラブルは今のところ起きていない。
［選択図］図８
【図面の簡単な説明】
【００１４】
【図１】図１は、刈払機に板状回転刃を装着する時の機器構成図
【図２】図２は、刈払機に線状刃回転ユニットを装着する時の機器構成図
【図３】図３は、草回転軸に草などの異物が絡むメカニズムと防止するためのメカニズム
【図４】図４は、板状回転刃を使用する場合の発明（円筒形構造物）
【図５】図５は、部品１  板状回転刃に係わる発明部品
【図６】図６は、線状刃回転ユニットに係わる発明（円筒形構造物の付加）
【図７】図７は、部品２  線状刃回転ユニットに係わる発明部品
【図８】図８は、既存線状刃回転ユニットを使った試作品の実例（ねずみ色部分）
【図９】図９は、刃受金具
【図１０】図１０は、線状刃回転ユニットに係わる発明（円筒形近似構造物の付加）
【図１１】図１１は、線状刃回転ユニットに係わる発明（円筒形近似構造物の付加）
【発明を実施するための形態】
【００１５】以下、本発明に係る刈払機における絡み防止構造の実施形態を添付の図面に基づいて説明する。刈払機に板状回転刃を装着して利用する場合、通常はシャフト先端の刃受金具凸部に回転軸先端より板状回転刃を挿入し専用のナットで固定する。草刈等の作業を行うと刈払機のシャフト先端のスカート部と板状回転刃の間に異物が絡まり板状回転刃の回転速度が落ちたり、回転が止まったりして作業に支障をきたすことが多々起こる。この絡まった異物を取り除くにはまずモーターやエンジンを止めて肩掛けバンドから刈払機を外し、その異物を取り除くことになる。したがってこのような状況が起きると作業効率が大幅に落ちることになる。更に足場などが悪い場合には危険を伴うことも考えられる。このことを避けるために、草刈作業を開始する前にシャフト先端の刃受金具凸部と板状回転刃の間に円筒形状の発明部品１を挟みナットで固定する。このことにより、異物がスカート部とこの部品１との隙間に絡む確率は大幅に減少することになる。非常に起こりにくいが運悪く絡んだ場合は、従来と同様の手順で異物を取り除くことになる。なお、異物が絡まないまま作業が終了した場合でも、隙間に細かい草切れや泥などが多少付いていることもあるため部品を外し、刃受金具や回転軸等に付いた異物の除去を器具整備の一環として実施することが望ましい。
［選択図］図４、図９
【００１６】刈払機に線状刃回転ユニット・タイプの装置を装着して利用する場合、通常はシャフト先端の刃受金具に回転軸先端より線状刃回転ユニットを回転させながら固定する。草刈等の作業を行うと刈払機のシャフト先端のスカート部と線状刃回転ユニットとの隙間に異物が絡まり回転速度が落ちたり、回転が止まったりして作業に支障をきたすことが多々起こる。
この絡まった異物を取り除くにはモーターやエンジンを止めて肩掛けバンドから刈払機を外し、その異物を取り除くことになる。したがってこのような状況が起きると作業効率が大幅に落ちることになる。更に足場などが悪い場合には危険を伴うことも考えられる。したがって、草刈作業を開始するに当たってシャフト先端の刃受金具の先に今回発明の円筒構造が付加された線状刃回転ユニットを固定する。このことにより異物がスカート部とこのユニットとの隙間に絡む確率は大幅に減少することになる。非常に起こりにくいが運悪く絡んだ場合は、従来と同様の手順で異物を取り除くことになる。なお、異物が絡まないまま作業が終了した場合でも、隙間に細かい草切れや泥などが多少付いていることもあるためユニットを外し、刃受金具や回転軸、ユニット等に付いた異物の除去を器具整備の一環として実施することが望ましい。
［選択図］図６、図９
【図１】
2012029668.tif 000003
【図２】
2012029668.tif 000004
【図３】
2012029668.tif 000005
【図４】
2012029668.tif 000006
【図５】
2012029668.tif 000007
【図６】
2012029668.tif 000008
【図７】
2012029668.tif 000009
【図８】
2012029668.tif 000010
【図９】
2012029668.tif 000011
【図１０】
2012029668.tif 000012
【図１１】
2012029668.tif 000013